(57)【要約】【課題】            電子や電気機器の電源への接続用プラグを、コンセント即ち電源接続装置の複数の電源接続部に差し込み、電子や電気機器への電源の供給を可能にする。各電源接続部のプラグの爪受け開口の向きが一定方向となっているので、機器の向きによっては該開口へのプラグの刃の差し込みが不便となっている。【解決手段】        ケース本体（５）の対の導電板（９，１０）に固定端子（１３，１４）を支持させる。ケース本体（５）に対して、刃受け端子（１１，１２）と開口（１６，１６）を有する電源接続部（６）を回動自在に支持する。電源接続部（６）は箱形をなし、ケース本体（５）の隣り合う中空の壁部（７）間に配され、そのカシメピン（１５）を壁部（７）を画定する向かい合う壁の溝（２７）に回動自在に挿入される。【選択図】          図１
2005071923.tif 000002
【特許請求の範囲】
【請求項１】
コードを介してケースに接続されかつその内部にコードに電気的に接続された対の導電体を有するケース本体と、対の刃受け端子と他の機器のプラグの刃を差し込み可能とする対の開口を有する電源接続部を有し、各導電体と対応する刃受け端子とを電気的に接続した状態で電源接続部をケース本体に対して可動自在としたことを特徴とする電源接続装置であって、合成樹脂製のケース本体が離間した中空の壁部を有し、中空の該壁部を画定する向かい合う壁に溝が形成されており、電源接続部が合成樹脂製の箱体からなり、刃受け端子と電気的に接続されたカシメピンを前記溝に回動自在に挿入したことを特徴とする電源接続装置。
【請求項２】
ケース本体が壁部間に開口を有し、該開口を介して箱形の電源接続部を隣り合う壁部間に配しかつカシメピンを溝に挿入する構成であり、ケース本体の蓋体の突部が溝の開口部を塞ぎかつ押さえ板が開口を閉じるシール板を押さえることを特徴とする請求項１記載の電源接続装置。
【請求項３】
導電体とカシメピンを固定端子を用いて電気的に接続し、該固定端子により電源接続部の位置を特定する請求項２記載の電源接続装置。
【請求項４】
電源接続部が本体にビス止めされたカバーを有し、カバーの側面の凹部に刃受け端子の端部が納まり、カシメピンが凹部から側外方に延在する請求項３記載の電源接続部。
【発明の詳細な説明】
【技術分野】
【０００１】
本発明は、可動自在な電源接続部を有する電源接続装置に関する。
【背景技術】
【０００２】
電子機器、例えばパソコン、プリンター、モニタテレビ、モデム等のＯＡ機器の電源プラグ、或いは家庭用電気製品に加えて、ステレオ本体、ＣＤプレーヤー、ＡＣアダプター等の電源プラグを、電源に接続するために、複数個の電源接続部（リセプタクル、コンセント）を有する電源接続装置が用いられる。
【０００３】
電子機器や家庭用電気製品のプラグ付きの電源コードの長さは予め決められて出荷されるが、これら機器の設置場所によっては該電源コードのプラグが建屋の定位置に設置した電源に届かないことが多い。
この場合、定位置の電源と電子機器や家庭用電気製品の電源コードのプラグとの間に、電源接続装置を介在させ、電子機器や家庭用電気製品等への電源の供給を行っている。
【０００４】
電源接続装置は、一端にプラグを有する延長コードと、プラグの他端に設けられた合成樹脂製のケースと、ケース内に組み込まれた対の刃受け端子からなる複数個の電源接続部とからなる。
【０００５】
【特許文献１】実用新案登録第３０４９７２３号公報
【特許文献２】実用新案登録第３０６２８３０号公報
【特許文献３】特開平１１−２５０９９８号公報
【特許文献４】特開平１１−８０３２号公報
【特許文献５】特願２００３−２８８０３３号明細書
【発明の開示】
【発明が解決しようとする課題】
【０００６】
前述した電源接続装置の電源接続部は、延長コードの対の電源に個別に接続された対の刃受け端子を複数個有し、該刃受け端子は、ケースに設けた対の開口を介して差し込まれたプラグと電気的に接続され、電子機器や家庭用電気製品への電源の供給を可能としている。
【０００７】
ケースに設けたプラグの刃を受ける開口はケースの外壁に穿けられており、その向きは固定となっている。
このため、電子機器や家庭用電気製品の設置場所によっては、その電源コードのプラグの向きが、ケースの開口の向きと不一致となり、該開口へのプラグの差し込みに不便を生じ、又、電源コードにねじれを作り、断線の危険があって好ましくない。
【０００８】
そこで、本出願人は、特願２００３−２８８０３３号により電源接続部（コンセント）を１８０度（角度）回動自在とし、電子機器等のプラグの差込方向を任意な方向へと選択可能としている。
このように電源接続部を回動自在とさせるとき、本体と回動自在な電源接続部との結合部の構造をいかに開発するかが課題となっている。
【０００９】
それ故に、本発明は、本体と電源接続部との結合部を介して導電体の配設を可能にしかつ適切な抵抗を与える回動装置を提供することを解決すべき課題とする。
【課題を解決するための手段】
【００１０】
本発明は、前述した課題を解決するために、基本的には、対の刃受け端子をブロック体に組み込み、ケース本体側の固定端子とを導電材からなるピンで結合し、ピンをケース本体の溝に嵌合し、電源接続部のケース本体に対する回動を可能とさせる構成を採用する。
【００１１】
この構成は、個々の電源接続部をケース本体に対して可動させ、電源プラグの向きに開口を向けることができ、プラグの差し込みを容易にし、電源コードのねじれを防止できる。
【００１２】
さらに、この構成は、回動装置のシール性が高く漏電の危険がない。又、使用者の手が導電体に触れることはない。電源接続部のケース本体に対する回動も程よい抵抗を有し、電源接続部の向きを好みの方向に保持可能とさせている。
【００１３】
本発明によれば、コードを介してケースに接続されかつその内部にコードに電気的に接続された対の導電体を有するケース本体と、対の刃受け端子と他の機器のプラグの刃を差し込み可能とする対の開口を有する電源接続部を有し、各導電体と対応する刃受け端子とを電気的に接続した状態で電源接続部をケース本体に対して可動自在としたことを特徴とする電源接続装置であって、合成樹脂製のケース本体が離間した中空の壁部を有し、中空の該壁部を画定する向かい合う壁に溝が形成されており、電源接続部が合成樹脂製の箱体からなり、刃受け端子と電気的に接続されたカシメピンを前記溝に回動自在に挿入したことを特徴とする電源接続装置が提供される。
【発明の効果】
【００１４】
本発明によれば、電源接続部はケース本体に対し回動可能なので刃受け端子の向きを任意で選択できる。電源接続部の回動部はシールされているので漏電、感電の危険はなく、又、その回動は円滑であり、所望の位置を保持できる効果を奏す。
【発明を実施するための最良の形態】
【００１５】
電源接続装置１は、図１と図２に示すように、一端にプラグ２を有するコード３と、コード３の他端に接続されたケース４とを備える。ケース４は、静止部材としてのケース本体５と、ケース本体５に対して可動自在に枢支された複数個の電源接続部６とからなる。
【００１６】
ケース本体５は、合成樹脂からなり、複数個の離間した壁部７と、その底部を互いに結合する平坦部８と、対の離間した細長い導電板９，１０とを備え、導電板９，１０にコード３の正・負の電線が夫々接続（図２参照）される。
【００１７】
ケース本体５の壁部７間に可動自在に配される各電源接続部６は、合成樹脂製の箱形をなし、その内部に配される対の刃受け端子１１，１２と、電子機器や家庭用電気製品等の電源用プラグの刃を受け、その刃を導電材からなる端子１１，１２に電気的に接続するための開口１６，１６を有す（図１参照）。
【００１８】
導電板９に導電材からなる略Ｌ字状の固定端子１３を複数個離間して固着する。導電板１０に導電材からなる略Ｌ字状の固定端子１４を複数個離間して固着する。
箱形の電源接続部１は、図３と図４に示す如く、カバー１７を有し、カバー１７の頂面は円弧面となっておりビス１８でカバー１７を本体１９に固定させる。
【００１９】
カバー１７の両側面は凹部２０，２０を有し、この凹部２０，２０内に刃受け端子１１，１２と固定端子１３，１４の端部を配し、両端部をカシメピン１５，１５を用いて結合する。固定端子１３，１４はカバー１７の側面に沿って配され、カシメピン１５，１５のヘッドが側外方に延出する。
【００２０】
各壁部７の内部は空洞であって、その向かい合い壁には略Ｕ字状の溝２７が切られており、該溝２７内にカシメピン１５のヘッドが挿入される。固定端子１３，１４は該壁の外側に沿って延在する。
【００２１】
本体５は隣り合う壁部７間の平坦部８に開口２１を有し、該開口２１に電源接続部６のカバー１７部分が位置する。図示例では６個の開口２１が穿けられているが、この開口２１はシール板２２により本体５の内部から閉じられる。
【００２２】
図７に示される蓋板２３により、本体５の内部が閉じられる。蓋体５のビス孔２４から、本体５のネジ溝２５にネジを螺合させることで蓋体２３を本体５に固定させる。
蓋体２３に対の突部２６が設けられ、該突部２６が溝２７に挿入される。蓋体２３は対の押さえ板２８を有し、この押さえ板２８がシール板２２を所定位置に保持させる。
導電板９，１０は蓋体２３の長手方向に延在する帯部２９により本体５内に押しつけられ遊びがない。
【００２３】
ケース本体５の壁部７の向かい壁には溝２７が切られるが、この溝２７の幅寸法は電源接続部６の厚み寸法より小さく、溝２７は、電源接続部６がいかなる位置をとっても、常に溝２７を電源接続部６で閉じるようになっており、導電体に人の手や物が触れることはない。
壁部７と電源接続部６とは摺接状態となっているので電源接続部６はケース本体５に対して自由運動をしない。
【図面の簡単な説明】
【００２４】
【図１】本発明の一例の電源接続装置の斜視図である。
【図２】図１の例の本体の内部構造を示す斜視図である。
【図３】電源接続部の斜視図である。
【図４】図３の例の分解斜視図である。
【図５】図１の矢視Ｖ−Ｖよりみた断面図である。
【図６】カシメピンの本体の壁部への取付を示す平面図である。
【図７】本体の蓋体の内部を示す斜視図である。
【符号の説明】
【００２５】
２    プラグ
３    コード
４    ケース
５    ケース本体
６    電源接続部
７    壁部
８    平坦部
９，１０    導電板
１１，１２    刃受け端子
１３，１４    固定端子
１５    カシメピン
１６    開口
１７    カバー
１９    本体
２０    凹部
２１    開口
２３    蓋体
２６    突部
２７    溝
２８    押さえ板
【図１】
2005071923.tif 000003
【図２】
2005071923.tif 000004
【図３】
2005071923.tif 000005
【図４】
2005071923.tif 000006
【図５】
2005071923.tif 000007
【図６】
2005071923.tif 000008
【図７】
2005071923.tif 000009